(57)【要約】  【課題】親子自動販売機の親機外扉の側面部に手をかけた状態で前記親機外扉を閉じても、指をはさむことによる怪我を防止できる自動販売機を提供する。  【解決手段】子機自動販売機９の子機外扉１２は親機外扉７を閉じた状態での親機外扉７の扉厚みよりも子機自動販売機９の正面から見て後方に配置したので、商品の補充時の後に親機外扉７の側面部に手をかけた状態で親機外扉７を閉じても、指をはさむことによる怪我を防止でき、安全性の高い自動販売機を提供することができる。【選択図】図１
2010108334.tif 000002
【特許請求の範囲】
【請求項１】
親機本体に軸支されて前記親機本体の前面を覆う開閉自在の親機外扉を備えた親機自動販売機と子機本体の前面を覆い前後方向に引出し自在の子機外扉を備えた子機自動販売機とを左右に連結した自動販売機であって、前記親機外扉より前記子機外扉の前面位置を後方に配置したことを特徴とする自動販売機。
【請求項２】
子機本体を親機外扉の反軸支側に配置したことを特徴とする請求項１に記載の自動販売機。
【請求項３】
子機外扉の後方に配置する寸法を前記親機外扉の扉厚み以上としたことを特徴とする請求項１または２に記載の自動販売機。
【請求項４】
子機本体を親機外扉の軸支側に配置したことを特徴とする請求項３に記載の自動販売機。
【請求項５】
親機外扉にロック部材を備え、前記親機外扉を閉じた状態で子機外扉とオーバーラップするようしたことを特徴とする請求項１から３のいずれか一項に記載の自動販売機。
【請求項６】
子機本体と子機外扉との間に配置したガスケット部材と、ロック部材と前記子機外扉との間に緩衝部材を配置したことを特徴とする請求項５に記載の自動販売機。
【発明の詳細な説明】
【技術分野】
【０００１】
本発明は、親機自動販売機と子機自動販売機を併設した自動販売機に関するものである。
【背景技術】
【０００２】
従来、親子自動販売機を左右に併設したものとして、特許文献１に示されているようなものがある。
【０００３】
図５は特許文献１に記載された従来の親子自動販売機の斜視図である。
【０００４】
親機自動販売機１に並んで子機自動販売機２が設置されており、軸支された親機外扉３の反軸支側に子機自動販売機２が設置されている。親機自動販売機１と子機自動販売機２との隙間はデザイン的に一体型に見えるように可能な限り隙間を最小限となるように構成している。
【特許文献１】特開昭６２−５５７９３号公報
【発明の開示】
【発明が解決しようとする課題】
【０００５】
しかしながら、上記従来の構成では、親機外扉の側面に指をかけて、親機外扉を閉めた場合に、親機外扉と子機自動販売機の隙間で指をはさんで、最悪の場合怪我をするという課題を有していた。
【０００６】
また、子機自動販売機を親機外扉の軸支側に配置した場合に親機外扉と子機外扉とが接触するため、親機外扉を全開することができないという課題を有していた。
【０００７】
本発明は、上記従来の課題を解決するもので、親機外扉の閉時に指を怪我することを防止すると共に、親機外扉の軸支側に設置した場合でも親機外扉を全開にすることが可能となる自動販売機を提供することを目的とする。
【課題を解決するための手段】
【０００８】
上記従来の課題を解決するために、本発明の自動販売機は、親機本体に軸支されて前記親機本体の前面を覆う開閉自在の親機外扉を備えた親機自動販売機と子機本体の前面を覆い前後方向に引出し自在の子機外扉を備えた子機自動販売機とを左右に連結した自動販売機であって、前記親機外扉より前記子機外扉の前面位置を後方に配置したものである。
【０００９】
これによって、商品の補充時の後に前記親機外扉の側面部に手をかけた状態で前記親機外扉を閉じても、指をはさむことによる怪我をすることを防止できる。
【００１０】
また、前記親機外扉を全開しても前記子機外扉が前記親機外扉と接触しない位置まで前記子機自動販売機を構成することで、前記親機外扉の前記ヒンジ側に連結した場合でも前記親機外扉を全開することが可能となり、商品補充及びメンテナンス性を向上させることができる。
【発明の効果】
【００１１】
本発明の自動販売機は、商品の補充時の後に親機外扉の側面部に手をかけた状態で前記親機外扉を閉じても、指をはさむことによる怪我を防止でき、安全性の高い自動販売機を提供することができる。
【００１２】
また、前記親機外扉を全開しても前記子機外扉が前記親機外扉と接触しない位置まで前記子機自動販売機を構成することで、前記親機外扉の前記ヒンジ側に連結した場合でも前記親機外扉を全開することが可能となり、商品補充及びメンテナンス性を向上させることができる。
【発明を実施するための最良の形態】
【００１３】
請求項１に記載の発明は、親機本体に軸支されて前記親機本体の前面を覆う開閉自在の親機外扉を備えた親機自動販売機と子機本体の前面を覆い前後方向に引出し自在の子機外扉を備えた子機自動販売機とを左右に連結した自動販売機であって、前記親機外扉より前記子機外扉の前面位置を後方に配置したものであり、商品の補充時の後に前記親機外扉の側面部に手をかけた状態で前記親機外扉を閉じても、指をはさむことによる怪我をすることを防止でき、安全性の高い自動販売機を提供することができる。
【００１４】
請求項２に記載の発明は、請求項１に記載の発明において、子機本体を親機外扉の反軸支側に配置したものであり、親機外扉の開閉と子機外扉の開閉を同時にした場合でも支障なく商品の補充等が可能となり、使い勝手のよい自動販売機を提供することができる。
【００１５】
請求項３に記載の発明は、請求項１または２に記載の発明において、子機外扉の後方に配置する寸法を前記親機外扉の扉厚み以上としたものであり、商品の補充時の後に前記親機外扉の側面部に手をかけた状態で前記親機外扉を閉じても、指をはさむことによる怪我を確実に防止することができる。
【００１６】
請求項４に記載の発明は、請求項３に記載の発明において、子機本体を親機外扉の軸支側に配置したものであり、親機外扉を全開しても子機外扉が前記親機外扉と接触しない位置まで子機自動販売機を構成することで、前記親機外扉のヒンジ側に連結した場合でも前記親機外扉を全開することが可能となり、商品補充及びメンテナンス性を向上させることができ、親機と子機の配置を自由に設定することができる。
【００１７】
請求項５に記載の発明は、請求項１から３のいずれか一項に記載の発明において、親機外扉にロック部材を備え、前記親機外扉を閉じた状態で子機外扉とオーバーラップするようしたものであり、子機外扉を閉じてから、前記親機外扉を閉じることで、前記ロック部材で前記子機外扉を押さえることになり、前記親機外扉をロックするだけで、前記子機外扉も同時にロックすることが可能となるため、ロック作業時間の短縮及びロック機構の簡素化による合理化ができる。
【００１８】
請求項６に記載の発明は、請求項５に記載の発明において、子機本体と子機外扉との間に配置したガスケット部材と、ロック部材と前記子機外扉との間に緩衝部材を配置したものであり、子機本体と子機外扉とが直接接触して傷付くことを防止し、子機自動販売機内部への雨水等の水の浸入を防止することができ、前記ロック部材と前記子機外扉とが直接接触して傷付くことを防止し、前記ロック部材と前記子機外扉との組立バラツキによる隙間を吸収することが可能となり、前記ガスケット部材によるシール性を向上させることができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１を示す自動販売機の斜視図である。図２は、同実施の形態の子機自動販売機の斜視図である。
【００２１】
図１、図２において、親機自動販売機４は、内部に複数の商品収納室５を収納した親機本体６と親機本体６の前面を開閉自在に軸支した親機外扉７を備えている。親機外扉７は親機本体６にヒンジ８で軸支され、親機外扉７はヒンジ８を中心に開閉自在に形成されている。
【００２２】
子機自動販売機９は、親機外扉７のヒンジ８の反対側（反軸支側）に連結されており、内部に上下複数の商品収納部１０を収納した子機本体１１と、商品収容部１０と連結された子機外扉１２と、子機本体１１と商品収納部１０を接続し、商品収納部１０を前後方向に可動させるスライド機構１３が備えている。
【００２３】
また、子機自動販売機９の子機外扉１２は親機外扉７を閉じた状態での親機外扉７の前面位置より後方に配置し、例えばその寸法を親機外扉の扉厚み以上として後方に配置している。
【００２４】
以上のように構成された自動販売機について、以下その動作、作用を説明する。
【００２５】
親機自動販売機４において商品を販売する場合には、金銭投入口（図示せず）に金銭または読書き手段（図示せず）に非接触端末をかざし、選択ボタン（図示せず）を押すことで商品が搬出される。
【００２６】
次に商品の補充時の後に親機外扉７の側面部に手をかけた状態で親機外扉７を閉じた場合、子機外扉１２が親機外扉７よりも後方に配置されているため、指をはさむことによる怪我をすることを防止できる。そして、その寸法を親機外扉の扉厚み以上とすることで、確実に怪我を防止することができる。
【００２７】
また、子機自動販売機９を親機外扉７のヒンジ８の反対側、すなわち反軸支側に配置しているので、親機外扉７の開閉と子機外扉１２の開閉を同時にした場合でも支障なく商品の補充等が可能となり、使い勝手のよい自動販売機を提供することができる。
【００２８】
なお、本実施の形態では、子機自動販売機９を親機外扉７の反ヒンジ８側に連結したもので説明したが、子機自動販売機９を親機外扉７のヒンジ８側（軸支側）に配置し、親機外扉７の扉厚み以上後方に子機外扉１２の前面を配置することで、親機外扉７を全開しても子機外扉１２が親機外扉７と接触しない位置まで子機自動販売機９を構成することで、親機外扉７のヒンジ８側に連結した場合でも親機外扉７を全開することが可能となり、商品補充及びメンテナンス性を向上させることができ、親機と子機の配置を自由に設定することができる。
【００２９】
（実施の形態２）
図３は、本発明の実施の形態２を示す自動販売機の平面図である。
【００３０】
図３において、親機外扉７の側面にＬ型のロック部材１４を備え、親機外扉７を閉じた状態で子機外扉１２の前面を覆いオーバーラップして押さえるようにしている。
【００３１】
以上のように構成された自動販売機について、以下その動作、作用を説明する。
【００３２】
本来ならば、親機外扉７をロックするための鍵（図示せず）及び子機外扉１２をロックするための鍵（図示せず）がそれぞれに必要となるが、親機外扉７にロック部材１４を備えることによって、子機外扉１２を閉じてから、親機外扉７を閉じることで、ロック部材１４で子機外扉１２を押さえることになり、親機外扉７をロックするだけで、子機外扉１２も同時にロックすることが可能となるため、ロック作業時間の短縮及びロック機構の簡素化による合理化ができる。
【００３３】
また、子機外扉１２の扉閉め忘れ防止のため、子機外扉１２を閉じた状態でないと親機外扉７が子機自動販売機９に接触して閉じない仕様とすることも可能である。
【００３４】
また、本実施の形態では、ロック部材１４と親機外扉７の押さえ部が平行となっているが、ロック部材１４の押さえ部の先端を曲げて子機外扉１２に入り込むようにすることで、子機外扉１２こじ開けによる盗難性を向上させることも可能である。
【００３５】
また、本実施の形態では、ロック部材１４のみで子機外扉１２をロックする仕様としていたが、子機外扉１２こじ開けによる盗難性が不十分な場合には、子機外扉１２に鍵なしのロック機構を備え、親機外扉１２を閉じた状態では、子機外扉１２のロック機構を解除できない仕様とすることも可能である。
【００３６】
（実施の形態３）
図４は、本発明の実施の形態３を示す自動販売機の平面図である。
【００３７】
図４において、子機本体１１と子機外扉１２との間に配置し、子機外扉１２に取付けしたガスケット部材１５を外周縁に備え、子機本体１１と子機外扉１２の隙間とをシールしている。また、ロック部材１４と子機外扉１２との間に配置し、ロック部材１４に取付けしたクッション部材１６を備え、ロック部材１４と子機外扉１２の緩衝材となっている。
【００３８】
以上のように構成された自動販売機について、以下その動作、作用を説明する。
【００３９】
まず、子機本体１１と子機外扉１２との間の外周縁にガスケット部材１５を取付けすることで、子機本体１１と子機外扉１２とが直接接触して傷付くことを防止し、子機自動販売機９内部への雨水等の水の浸入を防止することができる。また、ロック部材１４と子機外扉１２との間にクッション部材１６を取付けすることで、ロック部材１４と子機外扉１２とが直接接触して傷付くことを防止し、ロック部材１４と子機外扉１２との組立バラツキによる隙間を吸収することが可能となり、ガスケット部材１５によるシール性を向上させることができる。
【００４０】
また、実施の形態では、ガスケット部材１５を子機外扉１２に取付けし、クッション部材１６をロック部材１４に取付けしていたが、子機本体１１及び子機外扉１２に取付けすることも可能である。
【産業上の利用可能性】
【００４１】
以上のように、本発明にかかる自動販売機は、親機と子機を併設したものにおいて、親機外扉より子機外扉の前面位置を後方に配置したことで、扉開閉の安全性を高めた上で、補充作業やメンテナンスを効率よく行うことができるので、あらゆる種類の親機と子機を併設した自動販売機器に適用することができる。
【図面の簡単な説明】
【００４２】
【図１】本発明の実施の形態１の自動販売機の斜視図
【図２】同実施の形態の子機自動販売機の斜視図
【図３】本発明の実施の形態２の自動販売機の平面図
【図４】本発明の実施の形態３の自動販売機の平面図
【図５】従来の自動販売機の斜視図
【符号の説明】
【００４３】
４    親機自動販売機
６    親機本体
７    親機外扉
８    ヒンジ
９    子機自動販売機
１１  子機本体
１２  子機外扉
１４  ロック部材
１５  ガスケット部材
１６  クッション部材
【図１】
2010108334.tif 000003
【図２】
2010108334.tif 000004
【図３】
2010108334.tif 000005
【図４】
2010108334.tif 000006
【図５】
2010108334.tif 000007